(57)【要約】【課題】所望の箇所に簡単な操作で低周波パルス電圧を作用させることができるようにするとともに、人為的に強弱感を調節できるようにして使い勝手を改善した低周波刺激美容ローラーを提供する。【解決手段】、低周波パルス電圧発生装置５と、この低周波パルス電圧発生装置５を収納保持するハンドル部２を兼ねたハウジング本体１と、このハウジング本体１の下面に取付けられるローラーユニット１６とを有してなり、前記ローラーユニット１６は下面開口部に所要の間隔を存して２本のシャフト２９を架設すると共に、当該２本のシャフト２９に導電性材料からなる回転子１７をそれぞれ付設してなり、当該２本の回転子１７を前記低周波パルス電圧発生装置５の出力電極とした。【選択図】図５
2013094176.tif 000002
【特許請求の範囲】
【請求項１】
顔や肌に導体を当て、当該導体から顔や肌にパルス電圧を印加して刺激を与える生体刺激装置において、動作電源回路と、動作電圧を昇圧する高圧発生回路と、当該高圧発生回路で昇圧された低周波パルス電圧を一対の電極間に印加するパルス電圧出力回路と、前記高圧発生回路及びパルス電圧出力回路を含む全体の動作制御を行うＣＰＵからなる制御部を有してなる低周波パルス電圧発生装置と、この低周波パルス電圧発生装置を収納保持するハンドル部を兼ねたハウジング本体と、このハウジング本体の下面に取付けられるローラーユニットとを有してなり、前記ローラーユニットは下面開口部に所要の間隔を存して２本のシャフトを架設すると共に、当該２本のシャフトに導電性材料からなる回転子をそれぞれ付設してなり、当該２本の回転子を前記低周波パルス電圧発生装置の出力電極としたことを特徴とする低周波刺激美容ローラー。
【請求項２】
前記回転子は、顔や肌への当接面が凹凸状ないし多角形状に形成されていることを特徴とする請求項１に記載の低周波刺激美容ローラー。
【請求項３】
前記２本の回転子の中間位置に、さらに非電気的刺激用ローラーを付設したことを特徴とする請求項１または請求項２のいずれか１項に記載の低周波刺激美容ローラー。
【請求項４】
前記ローラーユニットは絶縁材料からなる上カバー及び当該上カバーに連設された左右側面カバーを有してなり、前記非電気的刺激用ローラーの軸部は、前記左右側面カバーに穿設してある通孔によって支承されていることを特徴とする請求項３に記載の低周波刺激美容ローラーである。
【請求項５】
前記ローラーユニットを構成する２本のシャフトは両端腕部に貫通孔を穿設したブラケットによってそれぞれ支承されており、導電性材料からなる回転子は当該シャフトの外周部に固定されていることを特徴とする請求項１〜４のいずれか１項に記載の低周波刺激美容ローラー。
【発明の詳細な説明】
【技術分野】
【０００１】
本発明は、顔やボディーなどの肌に低周波パルス電圧を作用させることにより整肌美容を行う低周波刺激美容ローラーに関する。
【背景技術】
【０００２】
従来、顔やボディーなどの肌に外的刺激を与えて整肌美容を行う主な手段として、冷却法、温熱法、赤外線照射法、振動マッサージ法などが提案され、これまでに、その刺激要素に応じた各種美容器具類が開発されてきている。
【０００３】
また、電気的刺激を付与して肌の美容効果を向上させるべく、肌に正極及び負極の粘着性導電パッドを貼り付けて低周波パルス電圧を印加する低周波美容器具も数多く開発されてきている。
【０００４】
たとえば、下記の特許文献１には、マイクロプロセッサと、このマイクロプロセッサにより制御され、パルス信号を生成する刺激発生器と、操作を入力するために前記マイクロプロセッサに接続されるスイッチと、顔の皮膚に付着可能な１つの面を有するパッドと、このパッドに取付けられ、前記刺激発生器に電気的に接続された２本の電極を有する顔面マッサージのための電気的刺激装置が開示されている。
【０００５】
また、特許文献２には、高電圧パルスを人体に貼られた電極を通じて人体に通電することにより、低周波治療を行う低周波治療器において、複数チャンネルの治療パルス発生源と、これら治療パルス発生源の任意個数のチャンネル出力を重畳させて出力させる手段を具備した低周波治療器が開示されており、これによった場合は、数百Ｈｚから１２００Ｈｚの高い治療周波数パルス出力中に、数Ｈｚから数十Ｈｚの刺激感の強い周波数のパルス群を挿入でき、刺激感の少ない高い周波数での除痛効果と、低い周波数での強い刺激感を同時に得ることができるとされている。
【０００６】
さらに、特許文献３には、皮膚に導子を当て、この導子から皮膚に電流を流して刺激を与える生体刺激装置において、繰り返し出力される矩形波パルスをパルス幅変調し、この矩形波パルスよりも高い周波数成分を複数含む矩形波パルス群の繰り返しを刺激信号として前記導子に出力する刺激発生手段を備えたことを特徴とする生体刺激装置が開示され、幅広い治療、施術効果を得ることができるとともに、ソフトな刺激感を得ることができるとされている。
【先行技術文献】
【特許文献】
【０００７】
【特許文献１】特開２００５−２４５５８５号公報
【特許文献２】特開２０００−１４８００号公報
【特許文献３】特開２００１−２５９０４８号公報
【発明の概要】
【発明が解決しようとする課題】
【０００８】
前記した低周波パルス電圧を生体に作用させる従来技術においては、いずれも粘着性を有する導電パッドを肌に貼り付けて低周波パルス電圧を印加するものであるため、貼り付けた箇所に炎症を起こしたり、痒みを生ずるなどのトラブルが生じるおそれがある。また、肌に導電体を貼り付けて使用するものであるため、整肌を行う箇所ごとに導電体を貼り換える必要があり、作業が間欠的になるという問題点があると共に、各人の肌の特徴に応じた使い分けが甚だ面倒であるという問題点があった。
【０００９】
さらに、従来の低周波刺激装置においては、矩形波ないし正弦波による電気的刺激を肌に作用させるだけのもであるから、きわめて単調であり、人為的に押す、あるいはさするなどの微妙な感覚を得ることができなかった。
【課題を解決するための手段】
【００１０】
本発明は、前記した従来の低周波刺激装置の問題点を解消し、所望の箇所に簡単な操作で低周波パルス電圧を作用させることができるようにするとともに、人為的に強弱感を調節できるようにして使い勝手を改善した低周波刺激美容ローラーを提供することを目的とするものである。
【００１１】
前記目的を達成するための本発明の構成を詳述すれば、請求項１に係る発明は、顔や肌に導体を当て、当該導体から顔や肌にパルス電圧を印加して刺激を与える生体刺激装置において、動作電源回路と、動作電圧を昇圧する高圧発生回路と、当該高圧発生回路で昇圧された低周波パルス電圧を一対の電極間に印加するパルス電圧出力回路と、前記高圧発生回路及びパルス電圧出力回路を含む全体の動作制御を行うＣＰＵからなる制御部を有してなる低周波パルス電圧発生装置と、この低周波パルス電圧発生装置を収納保持するハンドル部を兼ねたハウジング本体と、このハウジング本体の下面に取付けられるローラーユニットとを有してなり、前記ローラーユニットは下面開口部に所要の間隔を存して２本のシャフトを架設すると共に、当該２本のシャフトに導電性材料からなる回転子をそれぞれ付設してなり、当該２本の回転子を前記低周波パルス電圧発生装置の出力電極としたことを特徴とする低周波刺激美容ローラーである。
【００１２】
請求項２に係る発明は、前記回転子は、顔や肌への当接面が凹凸状ないし多角形状に形成されていることを特徴とする請求項１に記載の低周波刺激美容ローラーである。
【００１３】
請求項３に係る発明は、前記２本の回転子の中間位置に、さらに非電気的刺激用ローラーを付設したことを特徴とする請求項１または請求項２のいずれか１項に記載の低周波刺激美容ローラーである。
【００１４】
また、請求項４に係る発明は、前記ローラーユニットは絶縁材料からなる上カバー及び当該上カバーに連設された左右側面カバーを有してなり、前記非電気的刺激用ローラーの軸部は、前記左右側面カバーに穿設してある通孔によって支承されていることを特徴とする請求項３に記載の低周波刺激美容ローラーである。
【００１５】
さらに、請求項５に係る発明は、前記ローラーユニットを構成する２本のシャフトは両端腕部に貫通孔を穿設したブラケットによってそれぞれ支承されており、導電性材料からなる回転子は当該シャフトの外周部に固定されていることを特徴とする請求項１〜４のいずれか１項に記載の低周波刺激美容ローラーである。
【発明の効果】
【００１６】
本発明に係る低周波刺激美容ローラーによれば、回転自在な電極を通じて顔やボディーなどの肌に電気的回路が形成され、パルス放電回路から出力される低周波パルス電圧が印加されるとともに、電極を構成する２本の回転子がそれぞれ独立して肌表面を刺激し整肌美容が良好に行われる。
【００１７】
特に、電極を構成する各回転子表面は凹凸状ないし多角形状に形成されているので押し付ける力を自在に調節することができ、これにより良好な物理的刺激と、パルス放電による電気刺激を同時に作用させることができる。
【００１８】
また、前記２本の回転子の中間位置にさらに非電気的刺激用ローラーを付設して構成した場合は、２本の低周波電極の中間に電気的刺激ではない物理的刺激を与えることができる刺激ローラーが位置することとなって、施術を受ける者に心地よい刺激を与えることができるものである。
【図面の簡単な説明】
【００１９】
【図１】本発明に係る低周波刺激美容ローラーにおける低周波パルス電圧発生装置の一例を示すブロック図である。
【図２】本発明に係る低周波刺激美容ローラーの一実施形態を示す正面図である。
【図３】図２のＡ−Ａ断面図である。
【図４】本発明に係る低周波刺激美容ローラーの一実施形態を示す斜視図である。
【図５】ローラーユニットの分解状態斜視図である。
【図６】ローラーユニットの正面図である。
【図７】図６のＢ−Ｂ断面図である。
【図８】ローラーユニットの平面図である。
【図９】図７のＣ−Ｃ断面図である。
【発明を実施するための形態】
【００２０】
以下、本発明に係る低周波刺激美容ローラーの具体的構成を添付の図面に基づき詳細に説明する。
【００２１】
図中１は本発明に係る低周波刺激美容ローラー装置の全体をなすＡＢＳ樹脂などの合成樹脂によって成形されたハウジング本体であり、このハウジング本体１内に後述する低周波パルス電圧発生装置が配設される。２は当該ハウジング本体１の上面に横向きに突成した掴み手となるハンドル部を示す。
【００２２】
当該ハンドル部２の表面には低周波パルス電圧発生装置における電源のＯＮ−ＯＦＦ及びモードの切り換えを行う操作キー３と液晶表示部４が配設されている。なお、操作キー３による操作は１回押すごとに電源ＯＮ→ＦＡＣＥ（３０Ｈｚ／３０Ｖｐｐ）→ＢＯＤＹ１（１０Ｈｚ／６５Ｖｐｐ）→ＢＯＤＹ２（１０Ｈｚ／８５Ｖｐｐ）→電源ＯＦＦのように順次切り換わるように設定されている。
【００２３】
図中５は前記ハウジング本体１内に配設する低周波パルス電圧発生装置であり、当該低周波パルス電圧発生装置５は、商用電源ＡＣ１００Ｖを取り込むための外部入力回路６、充電用定電流回路７、充電制御回路８及びニッケル・水素充電池９等からなる動作電源回路と、動作電圧を昇圧して高電圧を得る高圧発生回路１０と、この高圧発生回路１０で昇圧された低周波パルス電圧を一対の電極間に印加するパルス電圧出力回路１１と、前記高圧発生回路１０及びパルス電圧出力回路１１を含む全体の動作制御を行うＣＰＵからなる制御部１２を具備している。なお、１３は制御部１２に低電圧電源を供給する５Ｖ発生回路、１４は電池制御回路、１５は操作音及び終了音を出力するブザー制御回路、３３はハウジング本体１の上部に付設した充電用接点である。
【００２４】
なお、パルス電圧発生手段は低周波と中周波の混合波形を用いるようにしてもよいし、電気的刺激の強さの設定に連動して出力するパルスの波形を変化させる波形変化手段としてバースト波形を用いたり、出力パルスの本数を変えたり、あるいは出力パルスの出力時間を制御したりすることも可能である。
【００２５】
前記パルス電圧出力回路１１から供給される低周波パルス電圧は、本発明の場合、ハウジング本体１の下面に取付けられるローラーユニット１６に回転自在に付設されている一対の導電性材料からなる回転子１７，１７を介して顔やボディーなどの肌に印加される。
【００２６】
すなわち、ローラーユニット１６は低周波パルス電圧発生装置５を内蔵したハウジング本体１の下面に形成された凹陥部に、図示しないネジあるいは嵌め込み等任意の手段によって固定されるもので、絶縁材料からなる上カバー１８及び当該上カバー１８に連設された左右側面カバー１９を有している。当該左右側面カバー１９，１９のほぼ中央部には２本の切溝２０，２０によって形成された舌片２１に通孔２２をそれぞれ穿設してある。
【００２７】
当該通孔２２には後述する非電気的刺激用ローラー２３の軸部両端が挿着され、非電気的刺激用ローラー２３が通孔２２，２２によって支承されるようになっている。非電気的刺激用ローラー２３は、図５及び図７に示すように、その周面にいくつかの角部２４を形成してあり、ハウジング本体１のハンドル部２を把持して顔やボディー等の皮膚表面に力を加減しながら押し付け回転させることによって良好なマッサージ効果が得られるものである。
【００２８】
パルス電圧出力回路１１から供給される低周波パルス電圧の出力部２５となる一対の導電性材料からなる回転子１７，１７は、ローラーユニット１６を構成する上カバー１８及び左右側面カバー１９，１９によって形成される下面開口部にブラケット２６，２６を介して回転自在に取付けられる。なお、一対の回転子１７，１７はそれぞれ所要の間隔を存して配設されるもので、回転子１７同士の間には前記した非電気的刺激用ローラー２３が配設される。
【００２９】
ブラケット２６は左右両端の腕部２７，２７に通孔２８，２８を穿設してあり、この通孔２８内にシャフト２９の両端軸部を嵌入させてシャフト２９を回転自在に保持するようになっている。回転子１７，１７は当該シャフト２９，２９の外周部に固定されるものであり、図示の実施形態においては、回転子１７の内部肉厚部の中心に貫通孔を形成してあり、当該貫通孔内にシャフト２９を圧入し、且つシャフト２９に圧入してあるほぼ円形をなす固定板３０を回転子１７の肉厚部端面に当接させ、適宜ネジ等で固定するようにしてある。
【００３０】
回転子１７，１７の外周面は、図５及び図６に示すように単調な円筒状とはなっておらず、長手方向に沿って３つのエリアに区分されており、且つ各エリア毎に位置をずらすようにして外周面を凹凸状ないし多角形状に形成してある。これによって、肌に心地よい刺激を与えることができるものである。なお、回転子１７はその全体を導電性材料により作成してもよいが、回転子１７自体は合成樹脂によって作成し、その表面に導電性メッキを形成するようにしてもよいのは勿論である。その他、図中の３４は回転子１７の両端部に嵌着させる端面キャップである。
【００３１】
パルス電圧出力回路１１から出力される低周波パルス電流は、ハウジング本体１の底部に付設された端子３１，３１及び導電性素材からなる板バネ３２，３２を介し、ブラケット２６、シャフト２９を通じて回転子１７に供給され、顔や肌等にパルス電圧が印加される。
【００３２】
従って、本発明美容ローラーによれば、一対の回転子１７を介して顔やボディーなどの肌に電気的回路が形成され、パルス放電回路から出力される低周波パルス電圧が印加されるとともに、電極を構成する２本の回転子がそれぞれ独立して肌表面を刺激し整肌美容が良好に行われるものである。
【００３３】
特に、電極を構成する各回転子１７の表面は長手方向に沿って３つのエリアに区分され、且つ各エリア毎に位置をずらすようにして外周面が凹凸状ないし多角形状に形成されているので押し付ける力を自在に調節することができ、これにより良好な物理的刺激と、パルス放電による電気刺激を同時に作用させることができるものである。
【００３４】
さらに、前記２本の回転子１７の中間位置にさらに非電気的刺激用ローラー２３を付設して構成した場合は、二組の低周波電極の中間に電気的刺激ではない物理的刺激を与えるローラーが位置することとなって、施術を受ける者に心地よい刺激を与えることができるものである。
【符号の説明】
【００３５】
１：ハウジング本体
２：ハンドル部
３：操作キー
４：液晶表示部
５：低周波パルス電圧発生装置
６：外部入力回路
７：充電用定電流回路
８：充電制御回路
９：ニッケル・水素充電池
１０：高圧発生回路
１１：パルス電圧出力回路
１２：制御部
１３：５Ｖ発生回路
１４：電池制御回路
１５：ブザー制御回路
１６：ローラーユニット
１７：回転子
１８：上カバー
１９：左右側面カバー
２０：切溝
２１：舌片
２２：通孔
２３：非電気的刺激用ローラー
２４：角部
２５：出力部
２６：ブラケット
２７：腕部
２８：通孔
２９：シャフト
３０：固定板
３１：端子
３２：板バネ
３３：充電用接点
３４：端面キャップ
【図１】
2013094176.tif 000003
【図２】
2013094176.tif 000004
【図３】
2013094176.tif 000005
【図４】
2013094176.tif 000006
【図５】
2013094176.tif 000007
【図６】
2013094176.tif 000008
【図７】
2013094176.tif 000009
【図８】
2013094176.tif 000010
【図９】
2013094176.tif 000011